(57)【要約】【課題】組み立てが簡単で美感にも優れたランバーサポート機能付き椅子を提供する。【解決手段】背もたれ３は、例えば枠状の本体１８を有しており、本体１８には、ランバーサポート２６が手前から嵌まり込むランバーサポート支持部２３を設けている。バックフレーム４は左右のブラケット部１２を備えており、背もたれ３はねじ１３及びナットでブラケット部１２に固定されている。ブラケット部１２は後ろからカバー１６で覆われている。背もたれ３はブラケット部１２に後ろから挿通したねじ１３で支柱部４ｂに固定されているため、椅子の組み立ては簡単である。ねじ１３は、ランバーサポート２６とカバー１６とで前後から覆われているため、美感の悪化は生じない。【選択図】図７
2015013113.tif 000002
【特許請求の範囲】
【請求項１】
座、背もたれ、及び前記背もたれを後ろから支持するバックフレームを備えており、
前記背もたれは、前記バックフレームに固定された本体と、着座した人の腰部を後ろから支持するランバーサポートとを含み、
前記本体には、前記ランバーサポートを後ろから支持するランバーサポート支持部を設けており、
前記ランバーサポート支持部が、前記ランバーサポートで手前から覆われているファスナーによって前記バックフレームに固定されている、
椅子。
【請求項２】
前記ファスナーは、後ろから又は前から回転操作されるねじであって、
前記本体が、前記ねじによってバックフレームに固定されている、
請求項１に記載した椅子。
【請求項３】
前記バックフレームは、前記背もたれの左右側部の後ろに配置された左右の支柱部を有しており、
前記左右の支柱部のそれぞれの上端に、相対向する方向に突出した横向きのブラケット部を設けており、
前記ブラケット部には、当該ブラケットに後ろから挿通したねじによって、前記ランバーサポート支持部が固定されており、かつ、前記ブラケット部には、前記ねじの頭を後ろから覆う左右横長のカバーが装着されている、
請求項１又は２に記載した椅子。
【請求項４】
前記背もたれの本体は、上下長手の左右のサイドメンバーと、前記左右のサイドメンバーの上端に繋がった左右横長のアッパメンバーと、前記左右のサイドメンバーの下端に繋がった左右横長のロアメンバーとを有する前後開口の枠状に形成されており、
前記本体には、着座者の体圧を支持するメッシュ材が取り付けられ、
左右横長の前記ランバーサポート支持部が、左右のサイドメンバーと繋がった状態で一体に設けられている、
請求項１又は２に記載した椅子。
【請求項５】
前記背もたれの本体は、前後に開口していない板状に形成されており、
前記本体のランバーサポート支持部は、前向きに開口して後ろ向きに突出した横長チャンネル状に形成されており、
前記ランバーサポート支持部には、前記ランバーサポートが手前から嵌め込まれており、かつ、前記ランバーサポート支持部の底部が、前記ファスナーで前記バックフレームに固定されている、
請求項１又は２に記載した椅子。
【請求項６】
前記本体の少なくとも前面と前記ランバーサポートとは、表皮材によって覆われている、
請求項５に記載した椅子。
【請求項７】
前記本体は、透明又は半透明でランバーサポートは不透明であり、
前記表皮材は、背後が透けて見える素材で袋状に形成されており、
前記表皮材によって、背板およびランバーサポートの全体を覆っている、
請求項６に記載した椅子。
【発明の詳細な説明】
【技術分野】
【０００１】
本願発明は、主として背もたれ及びその取り付け構造に特徴を有する椅子に関するものである。
【背景技術】
【０００２】
背もたれの取り付け構造は様々であるが、１つのタイプとして、背もたれをその後ろに配置されたバックフレームにねじで固定する方式がある。その例として本願出願人の出願に係る特許文献１には、背板に木製板を使用した椅子において、バックフレーム（揺動アームの支柱部）に後ろからねじ（ビス）を挿通して、ねじを背板にねじ込むことが記載されている。他方、同じく本願出願人の出願である特許文献２には、背もたれに手前から挿通したねじをバックフレームにねじ込むことが記載されている。
【先行技術文献】
【特許文献】
【０００３】
【特許文献１】特許第４１１９３３２号公報
【特許文献２】特開２００３−２４１７５号公報
【発明の概要】
【０００４】
さて、背もたれの構造は様々であり、背板の前面にクッションを張ってこれを表皮材で覆ったものや、クッション付き背板を袋状の背板で全体的に覆ったもの、或いは、前後に開口した枠状の本体にメッシュ材（編地や織地）を張ったものなど、多くの態様がある。そして、椅子の組み立てに当たっては、背もたれは予め完成させた状態でバックフレームに取り付けできるのが好ましい。
【０００５】
しかるに、特許文献２のようにねじを手前からバックフレームにねじ込む方式では、ねじを隠すことができて美感は確保できるが、背もたれを完成させた状態でバックフレームに取り付けることはできないため、適用対象が限られる問題がある。例えば、表皮材を袋状に構成した背もたれには特許文献２を適用することができない。
【０００６】
これに対して特許文献１は、ねじをバックフレームに後ろから挿通するものであるため、背もたれは予め完成させた状態で取り付けることができる。従って、組み立て作業性に優れていると共に、表皮材が袋状になっている場合にも問題なく対応できる。
【０００７】
他方、背もたれにランバーサポートを設けることは広く行われているが、背板を有する背もたれの場合、背板はランバーサポートとは別の部位においてバックフレームやアウターシェル等に取り付けており、背もたれの取り付けをランバーサポートに関連づけることは行われていない。また、前後開口の枠体にメッシュ材を張ったタイプの背もたれにおいても、枠体の左右側部や下部をバックフレームに固定しており、この場合も、背もたれの取り付けをランバーサポートに関連づけることは行われていない。
【０００８】
本願発明はこのような現状に鑑み成されたものであり、美感や着座者の身体安定性等を向上させた椅子を提供せんとするものである。
【課題を解決するための手段】
【０００９】
本願発明は、座、背もたれ、及び前記背もたれを後ろから支持するバックフレームを備えた椅子を対象にしており、多くの構成を含んでいる。その典型を、請求項１〜７の発明として挙げている。
【００１０】
このうち請求項１の発明は上位概念を成すもので、この発明では、前記背もたれは、前記バックフレームに固定された本体と、着座した人の腰部を後ろから支持するランバーサポートとを含み、
前記本体には、前記ランバーサポートを後ろから支持するランバーサポート支持部を設けており、前記ランバーサポート支持部が、前記ランバーサポートで手前から覆われているファスナーによって前記バックフレームに固定されている。
【００１１】
請求項２の発明は第１の発明を好適に具体化したもので、この発明では、前記ファスナーは、後ろから又は前から回転操作されるねじであって、前記本体が、前記ねじによってバックフレームに固定されている。
【００１２】
請求項３の発明は、請求項１又は２の発明を具体化したものである。この発明では、前記バックフレームは、前記背もたれの左右側部の後ろに配置された左右の支柱部を有しており、前記左右の支柱部のそれぞれの上端に、相対向する方向に突出した横向きのブラケット部を設けており、前記ブラケット部には、当該ブラケットに後ろから挿通したねじによって、前記ランバーサポート支持部が固定されており、かつ、前記ブラケット部には、前記ねじの頭を後ろから覆う左右横長のカバーが装着されている。
【００１３】
請求項４の発明は、請求項１又は２の発明をメッシュタイプの背もたれに具体化したものである。すなわち、この発明では、前記背もたれの本体は、上下長手の左右のサイドメンバーと、前記左右のサイドメンバーの上端に繋がった左右横長のアッパメンバーと、前記左右のサイドメンバーの下端に繋がった左右横長のロアメンバーとを有する前後開口の枠状に形成されており、前記本体には、着座者の体圧を支持するメッシュ材が取り付けられ、左右横長の前記ランバーサポート支持部が、左右のサイドメンバーと繋がった状態で一体に設けられている。
【００１４】
請求項５の発明は、請求項１又は２の発明を板タイプの背もたれの椅子に適用したものである。すなわちこの発明では、前記背もたれの本体は、前後に開口していない板状に形成されており、前記本体のランバーサポート支持部は、前向きに開口して後ろ向きに突出した横長チャンネル状に形成されており、前記ランバーサポート支持部には、前記ランバーサポートが手前から嵌め込まれており、かつ、前記ランバーサポート支持部の底部が、前記ファスナーで前記バックフレームに固定されている。
【００１５】
請求項６の発明は請求項５の展開例であり、この発明では、前記本体の少なくとも前面と前記ランバーサポートとは、表皮材によって覆われている。また、請求項７の発明は請求項６の展開例であり、この発明では、前記本体は、透明又は半透明でランバーサポートは不透明であり、前記表皮材は、背後が透けて見える素材で袋状に形成されており、前記表皮材によって、背板およびランバーサポートの全体を覆っている。
【発明の効果】
【００１６】
本願各発明では、ランバーサポートによって使用者の腰部を的確に支えることができるが、ファスナーはランバーサポートで前から覆われているため、背もたれの本体を固定するためのファスナーが手前に露出することを防止できて、美感に優れている。すなわち、使用者の身体を支持するランバーサポートを利用して美感の悪化を防止できるのである。従って、ファスナーを手前から覆うカバーを別に設ける必要はなく、それだけ構造を簡単化できる。
【００１７】
請求項２の発明のようにファスナーとしてねじを使用すると、市販されているねじやナットをそのまま使用できるため、コスト面において有利であると共に、高い締結強度を確保することができる。この場合、ねじが後ろから回転操作される場合、実施形態のようにバックフレームによってねじを後ろから覆うと、美感の向上に好適である。
【００１８】
また、請求項２のうちねじを後ろから回転操作する方式を採用すると、背もたれを予め完成させた状態で椅子の組み立てを行うことができるため、椅子の組み立て作業を簡単に行えると共に、各種の構造の背もたれにも適用できて汎用性に優れている。例えば、袋状の表皮材で背板をすっぽり覆った椅子にも問題なく適用できる。
【００１９】
表皮材を使用せずにランバーサポートを手前に露出させる場合は、背もたれの本体に挿通したねじをバックフレームにねじ込む、といった固定方法も採用可能であり、この場合も、ランバーサポートを設けるとねじ等のファスナーは手前から隠れるため、ファスナーを手前から隠すカバーは必要なくて、コスト抑制に貢献できる。
【００２０】
バックフレームの形態は様々に具体化できるが、請求項３の発明を採用すると、左右のブラケット部がランバーサポート支持部を介して繋がった状態になるため、左右のブラケットを一体に連続させなくても高い強度を確保できる。また、ブラケット及びねじの頭はカバーで後ろから覆われているため、美感にも優れている。
【００２１】
背もたれを、前後開口の枠状の本体にメッシュ材が張られた構成にした場合、本体がねじれやすくなる場合がある。これに対して請求項４の発明では、ランバーサポート支持部が本体の補強部材としても機能するため、背もたれはねじれに強い構造になる。従って、ランバーサポート支持部のみをバックフレームに固定しても、高い支持強度を確保できる。
【００２２】
請求項５の発明を採用すると、ランバーサポートは、ランバーサポート支持部に単に嵌め込むだけでずれ不能に保持できる利点がある。更に、ランバーサポート支持部は本体に対する高い補強機能を発揮するため、本体が薄くても高い剛性を確保できる利点もある。なお、ランバーサポート支持部の内部に補強板を配置して、この補強板にねじを後ろからねじ込む構造を採用することも可能であり、この場合は、剛性は一層高くなる。
【００２３】
本体を板状に形成した場合、本体及びランバーサポートはその前面を露出させたままで使用することも可能であるが、第６の発明のように表皮材を設けると、背もたれに高いファッション性を付与できる利点がある。表皮材を袋状に構成して背板を全体的に（すっぽり）覆うことも可能である。なお、本体及びランバーサポートの前面にクッション材を配置して、これを表皮材で覆うといったことも可能である。
【００２４】
本体を板状に形成する場合、その素材は樹脂や木製板が多いが、従来は、本体（背板）は不透明であることが殆どであり、前面にクッションを張ってこれを表皮材で覆っていることが多い。表皮材は不透明であり、表皮材の後ろが透けて見えることはない。このため、従来は、立体感に乏しくてファッション性が高いとは云えなかった。
【００２５】
これに対して第７の発明では、背もたれが前後に透けて見えるため、表皮材で空気を包んでいるかのような外観を呈しており、立体感に富んでいてファッション性を格段に向上できる。また、ねじ等のファスナーは不透明なランバーサポートで手前から隠れているため、ファスナーが背もたれの手前側に露出することによる外観の悪化も生じない。ファスナーを後ろから覆うカバーをバックフレームに取り付けると、ファスナーは後ろからも見えないため美感をより一層向上できる。
【００２６】
請求項４の発明において、前後に開口した本体を透明又は半透明とすることも可能であり、この場合も、椅子に透明性を付与して高いファッションを得ることができる。
【図面の簡単な説明】
【００２７】
【図１】第１実施形態に係る椅子の外観図で、（Ａ）は斜視図、（Ｂ）は側面図である。
【図２】（Ａ）は椅子を後ろから見た斜視図、（Ｂ）は部分背面図である。
【図３】前側から見た分離斜視図である。
【図４】（Ａ）は前側から見た要部分離斜視図、（Ｂ）はカバーを横向きにした状態での分離斜視図である。
【図５】（Ａ）は要部の縦断側面図、（Ｂ）はランバーサポートの別例図である。
【図６】第２実施形態に係る椅子の外観図であり、（Ａ）は前から見た斜視図、（Ｂ）は後ろから見た斜視図である。
【図７】第２実施形態を示す図で、（Ａ）は分離斜視図、（Ｂ）は分離平面図である。
【図８】（Ａ）は図６（Ａ）の一部省略 VIII-VIII視断面図、（Ｂ）は別例の要部断面図である。
【発明を実施するための形態】
【００２８】
次に、本願発明の実施形態を図面に基づいて説明する。なお、以下の説明で方向を特定するために「前後」「左右」の文言を使用するが、この「前後」「左右」の方向は、椅子に普通に腰掛けた人の向きを基準にしている。正面視は、着座者と対向した方向から見たものである。
【００２９】
(1).第１実施形態の概要
まず、第１実施形態の概要を説明する。本実施形態は、座及び背もたれが一体に水平回転する回転椅子に適用している。図１，２に示すように、椅子は、主要要素として脚装置１と座２と背もたれ３とを備えている。背もたれ３は、バックフレーム４で後ろから支持されている。脚装置１は、ガスシリンダから成る脚支柱５を有している。脚支柱５は、放射状に延びる複数本（５本）の枝足で支持されている。各枝足の先端には、キャスタを設けている。
【００３０】
脚支柱５の上端には、ベース６が取り付けられている。ベース６には、バックフレーム４が後傾動可能に連結されている。バックフレーム４は、樹脂製又はアルミ製である。ただし、バックフレーム４として板金加工品などを採用することもできる。バックフレーム４は、左右の下部アーム４ａと背もたれ３の後ろに配置された左右の支柱部４ｂとを有している。そして、下部アーム４ａの前端部が、左右横長の軸（図示せず）でベース６に連結されている。
【００３１】
図２に示すように、バックフレーム４を構成する下部アーム４ａと支柱部４ｂとは、左右横長の中間部４ｃを介して一体に繋がっている。従って、バックフレーム４は正面視で略Ｈ形の外観を呈している。なお、バックフレーム４は、少なくとも支柱部４ｂを備えておればよく、下部アーム４ａと支柱部４ｂとを別体に構成して固定したり、ベース６に連結された揺動フレームに支柱部４ｂを固定したりすることも可能である。
【００３２】
座２は、前後位置調節可能な状態でベース６及びバックフレーム４によって支持されている。ただし、この点は、本願との関連はないので説明は省略する。また、座２は背もたれ３の後傾動に連動して後退する。この点も、本願発明とは関係ないので説明は省略する。ベース６の内部には、バックフレーム４の後傾動に対して抵抗を付与する弾性部材（図示せず）が内蔵されている。
【００３３】
背もたれ３は、強度メンバーである本体７を備えている。実施形態の本体７は、透明又は半透明な樹脂から成るっている。本体７は、前後に開口せずに背もたれ３の全面に広がる板状構造であり、その全体が袋状の表皮材８で覆われている。表皮材８には、布のように目が詰まった織地、編地、天然又は人造のレザーなども採用できる。本実施形態では、一例として、前後が透けて見える程度に目開きを有する織地又は編地としてのメッシュ材を採用している。なお、透明又は半透明の糸を使用することで、目を詰めた状態で透明性を確保することも可能である。
【００３４】
図３および図４に示すように、背もたれ３の本体７は、四周に壁部９を有しており、後ろ向きに開口したトレー状の形態に形成される。さらに、本体７は、側面視では、着座者の腰の当たりの高さが最も前に出るように曲がっている。すなわち、本体７は、使用者の腰部を支えるランバーサポート部７ａを有している。
【００３５】
そして、本体７には、ランバーサポート部７ａの箇所に、後ろ向きに突出して前向きに開口した左右横長でチャンネル状のランバーサポート支持部１０を一体に設けている。そして、このランバーサポート支持部１０に、ランバーサポート１１を手前から嵌め入れている。ランバーサポート１１はランバーサポート支持部１０に嵌まり込んでいるため、固定手段は必要ない。しかし、ランバーサポート１１とランバーサポート支持部１０とを接着して固定したり、ランバーサポート支持部１０に後ろから挿入したビスによって固定したりすることも可能である。ランバーサポート１１は、表皮材８によって押え保持されているので、ランバーサポート１１がランバーサポート支持部１０から外れることもない。
【００３６】
(2).背もたれの取り付け構造
次に、背もたれ３の取り付け構造を説明する。図１（Ｂ）に示すように、バックフレーム４を構成する左右の支柱部４ｂは、側面視では、上端に行くにしたがって手前にずれるように側面視で傾斜し、図２（Ｂ）に示すように、背面視では、上に行くにしたがって左右外側にずれるように傾斜している。そして、これら左右支柱部４ｂの上端に、本体７におけるランバーサポート支持部１０の背面に重なる板状のブラケット部１２を、相対向する状態で横向きに突設している。ブラケット部１２の前面には、本体７がねじ（ビス、ボルト）１３及びナット１４で固定されている。
【００３７】
たとえば、図４に示すように、支柱部４ｂの上端は、本体７における左右外端の近傍に位置している。また、ランバーサポート支持部１０は、本体７の左右横幅に近い左右長さを有している。ランバーサポート支持部１０の両端と本体７の左右両端との間には若干の間隔を空けている。なお、ランバーサポート支持部１０の左右両端を本体７の左右の端まで延ばしてもよい。ただし、本実施形態のように、ランバーサポート支持部１０と本体７の壁部９との間に間隔を空けると、ランバーサポート支持部１０のリブ効果が強く発揮される。従って、強度的に優れる利点がある。
【００３８】
図３および４に示すように、支柱部４ｂのブラケット部１２とランバーサポート支持部１０とには、ねじ１３が後ろから挿通される取り付け穴１５を形成している。また、ランバーサポート支持部１０の内部には、ナット１４が配置されている。具体的には、この実施例では、ランバーサポート支持部１０の内底部に、ナット１４が回転不能に保持されるナット保持部を設けて、このナット保持部に手前側からナット１４を嵌め込んでいる。ナット１４は、ランバーサポート１１によって前向き外れ不能に保持されている。なお、ねじ１３を留める方法としては、ナット１４に限定されず、ランバーサポート支持部１０の内底部に左右横長の補強板を配置して、補強板に設けたバーリング部に雌ねじを設けることも可能である。
【００３９】
ランバーサポート１１はたとえばゴム質の素材で製造されており、図５（Ａ）に示すように、ランバーサポート１１は中実の構造になっている。ランバーサポート１１には、ナット１４及びねじ１３に当らないように逃がし穴（図示せず）を設けている。
【００４０】
ランバーサポート１１の前面は本体７の前面と滑らかに連続しているが、図５（Ａ）に変形例として一点鎖線で示すように、本体７の前面から手前にはみ出た状態に構成することも可能である。また、図５（Ｂ）に変形例として示すように、ランバーサポート１１は、後ろ向きに開口した剛体の支持体１１ａと、その前面に張られた軟質材１１ｂとで構成することも可能である。更に、強度面での条件が許せば、ランバーサポート１１にナット１４を取り付けることも可能である。さらに条件が許せば、バックフレーム４のブラケット部１２と、本体７のランバーサポート取り付け部１０と、ランバーサポート１１とをねじ１３で共締めすることも可能である。
【００４１】
例えば図４に示すように、ランバーサポート支持部１０及びねじ１３の頭は、１つのカバー１６で後ろから覆われている。カバー１６は、左右支柱部４ｂのブラケット部１２に取り付けられている。カバー１６は、樹脂製（金属板製でもよい）であって、カバー１６には、上端縁と下端縁とには手前に曲げられた抱持片１６ａが形成されている。そして、上下の抱持片１６ａで左右支柱部４ｂのブラケット部１２を抱持している。ブラケット１２への装着は、抱持片１６ａを弾性変形させることで行われる。
【００４２】
例えば図４から理解できるように、支柱部４ｂのブラケット部１２は、ランバーサポート支持部１０の上下両側に少しはみ出ている。別の視点で見ると、カバー１６の上下幅は、ランバーサポート支持部１０の上下幅よりも大きくなっている。従って、カバー１６の嵌め込みは支障なく行われる。
【００４３】
(3).第１実施形態のまとめ
以上のように、この実施形態では、背もたれ３は、ねじ１３とナット１４とで支柱部４ｂに締結されている。そして、椅子の組み立てに際しては、ねじ１３を後ろからナット１４にねじ込めば足りるため、組み立て作業はごく簡単である。また、背もたれ３は表皮材８を取り付けた完成状態で支柱部４ｂに固定できるため、本体７の全体を表皮材８によって覆ったタイプであっても、問題なく取り付けることができる。
【００４４】
また、この実施形態では、ねじ１３の頭はカバー１６で後ろから覆われ、ねじ１３の前端及びナット１４はランバーサポート１１で手前から覆われている。このため、ねじ１３が露出することがない。したがって、体裁が悪化するという問題は生じない。また、この実施形態では、ランバーサポート支持部１０がチャンネル状であるため、本体７の四周が壁部９で構成されていることと相まって、本体７は薄くても高い剛性を保持できる。
【００４５】
左右支柱部４ｂのブラケット部１２を一連に連続させることも可能である。この場合には、背もたれ３の支持強度は格段に高くなる。他方、本実施形態のように、左右の支柱部４ｂを独立させた場合であっても、左右のブラケット部１２と背もたれ３のランバーサポート支持部１０とが補強し合うため、背もたれ３は全体として高い強度を確保できる。
【００４６】
左右のブラケット部１２を別々のカバーで覆うことも可能であるが、この場合は部材点数が増えるため、部材管理の手間も増えるおそれがある。これに対し、本実施形態のように、左右横長の１本のカバー１６を使用すると、部材管理の手間を軽減できる。さらに、左右支柱部４ｂの上端が一体に繋がり、左右支柱部４ｂと中間部４ｃとカバー１６とで一体のループ状の外観を呈するため、美感も優れている。この点、本実施形態の利点の１つである。
【００４７】
本実施形態の背もたれ３は、メッシュ構造の表皮材８の網目を通じて本体７が見えるが、本体７は透明又は半透明であるため、メッシュ構造の表皮材８が宙に浮いているかのような印象を人に与えることができる。更には、透明又は半透明の樹脂製本体７に不透明のランバーサポート１１及びカバー１６を設けることで、視覚的にランバーサポート部のみを浮き上がらせたような印象を人に与えて、斬新さを際立たせることができる。従って、従来の椅子には見られない斬新なデザインとして、椅子の価値を高めることができる。なお、ここでいう「透明」には、無色透明と有色透明とが含まれる。
【００４８】
(4).第２実施形態
次に、図６〜８に示す第２実施形態を説明する。この第２実施形態と第１実施形態とは、背もたれ３の構造が相違するだけであり、バックフレーム３及びカバー１６の構造は共通している。従って、第１実施形態との相違点のみを説明し、残りの部分の説明を省略する。
【００４９】
図６および7 に示すように、この実施形態において、背もたれ３は、前後に開口した枠状の本体１８にメッシュ材１９を手前から張った構造に形成されている。従って、メッシュ材１９は、着座者の体圧を支持する支持部材としても機能している。本体１８は、上下長手の左右サイドメンバー２０と、その上端に一体に繋がったアッパメンバー２１と、左右サイドメンバー２０の下端に一体に繋がったロアメンバー２２と、左右サイドメンバー２０に一体に繋がったランバーサポート支持部２３とを有している。
【００５０】
本体１８の外周を構成する各メンバー２０，２１，２２には、後ろ向きに開口した長溝２４が形成されている。図８（Ａ）に示すように、メッシュ材１９の外周縁には、樹脂製等の板状の縁部材２５が固定されている。そして、縁部材２５を長溝２４に嵌め込むことによって、メッシュ材１９が本体１８に取り付けられている。
【００５１】
図７に示すように、本体１８の左右サイドメンバー２０は、前板２０ａと側板２０ｂとを有する略Ｌ形の形態に形成される。ランバーサポート支持部２３は、側板２０ｂの後端よりもやや後ろにはみ出た状態に形成されている。サイドメンバー２０において、長溝２４が側板２０ｂに形成されている。
【００５２】
図７に示すように、ランバーサポート２６は、左右横長の前板２６ａと、その後面に設けた中空の後ろ向き突部（後ろ向きリブ）２６ｂとによって形成される。図１０に示すように、ランバーサポート支持部２３には、ランバーサポート２６の後ろ向き突部２６ｂが被さるように嵌まる中空の前向き突部２７を一体に設けている。なお、後ろ向き突部２６ｂと前向き突部２７との嵌まり合いは逆の関係でもよい。
【００５３】
図７のとおり、ランバーサポート２６における後ろ向き突部２６ａの左右長さは、前板２６ａの左右長さよりも小さい。従って、前板２６ａの左右端部は、多少はベンディングさせることができる。ランバーサポート２６は、例えばポリプロピレン等の樹脂製であるが、ランバーサポート２６の前面にエラストマー等のクッション層を設けることも可能である。ランバーサポート２６は金属製や木製であってもよい。
【００５４】
本実施形態では、本体１８は不透明の樹脂又は金属製である。また、メッシュ材１９は着座者の体圧を支持するので、高い強度が保持されている。メッシュ材１９には、様々な構造のものを採用できる。図示していないが、第１実施形態と同様に、ナットがランバーサポート支持部２３の前面に回転不能に保持されている。
【００５５】
図８（Ｂ）に例示するように、ランバーサポート２６を、ランバーサポート支持部２３にて上下位置調節可能に支持することも可能である。図８（Ｂ）の例では、ランバーサポート支持部２３に上向き及び下向きの張り出し部２３ａを形成することで、ランバーサポート２６の上下高さ調節を可能にしている。
【００５６】
また、ランバーサポート支持部２３には、ランバーサポート２６の後ろ向き突出部２６ａが嵌まる溝２８を形成することで、ランバーサポート２６の高さ位置を保持している（位置決め手段としては、ランバーサポート２６に凹部を設けて、ランバーサポート支持部２３に凸部を設けてもよい。）。更に、張り出し部２３ａの上端と下端とに、ランバーサポート２６の離脱を阻止するストッパー部２９を設けている。
【００５７】
張り出し部２３ａは、例えば、ランバーサポート支持部２３の左右中間部を挟んだ左右２か所に設けたり、左右中間部に１か所だけ設けたり、左右中間部とその左右両側との３箇所に設けるなどすることができる。また、ランバーサポート２支持部２３の上下巾を、ランバーサポート２６の上下巾より大きくすることによっても、ランバーサポート２６の高さ調節を可能にすることができる。いずれにしても、張り出し部２３ａを含むランバーサポート支持部２３は、その全体をカバー１６で後ろから覆うのが好ましい。
【００５８】
本願発明は、上記の実施形態の他にも様々に具体化できる。例えば、ランバーサポートは、ランバーサポート支持部に接着剤や両面テープ等で貼り付けることも可能である。また、ランバーサポート部に穴を設けて、ランバーサポートに後ろ向き突設したピンを穴に嵌め込むといった手段も採用可能である。
【００５９】
また、バックフレームや背もたれの構造も様々に変更できる。例えば、背もたれについて述べると、本願出願人が特開２０１１−４１６１５号公報で開示したように、左右サイドメンバーに作用横長の横長サポート板を多段に接続した構成も採用できる。
【産業上の利用可能性】
【００６０】
本願発明は、実際に椅子に具体化できる。従って、産業上利用できる。
【符号の説明】
【００６１】
１  脚装置
２  座
３  背もたれ
４  バックフレーム
４ａ  支柱部
７  板状の本体（背板）
８  表皮材
９  壁部
１０，２３  ランバーサポート支持部
１１  ランバーサポート
１２  ブラケット部
１３  ねじ（ビス）
１４  ナット
１６  カバー
１８  枠状の本体（枠体）
１９  メッシュ材
２６  ランバーサポート
【図１】
2015013113.tif 000003
【図２】
2015013113.tif 000004
【図３】
2015013113.tif 000005
【図４】
2015013113.tif 000006
【図５】
2015013113.tif 000007
【図６】
2015013113.tif 000008
【図７】
2015013113.tif 000009
【図８】
2015013113.tif 000010